(57)【特許請求の範囲】
【請求項１】
床と、屋根梁から下方に垂下された垂壁とで屋根裏部屋からの出入口となる開口部が形成されている屋根裏部屋の構造において、屋根材が前記屋根梁に向かうに従い上昇すると共に、前記屋根裏部屋の天井面が前記屋根梁の下方で前記垂壁に形成された前記開口部側に向かって前記屋根材の傾斜方向と逆向きに下方に傾斜されていることを特徴とする屋根裏部屋の構造。
【請求項２】
下方に傾斜されている天井面が、屋根裏部屋の水平天井面と垂壁との間に張着されている傾斜した天井パネルの天井面であることを特徴とする請求項１記載の屋根裏部屋の構造。
【請求項３】
屋根裏部屋が、予め工場にて組み立てられた床付き屋根ユニットの内部であることを特徴とする請求項１または２記載の屋根裏部屋の構造。
【発明の詳細な説明】
【０００１】
【発明の属する技術分野】
本発明は屋根裏部屋の構造に関する。
【０００２】
【従来の技術】
従来、たとえば特開昭６０−２５３６３７号公報に開示された寄せ棟タイプのユニット建物を構成している棟側の屋根ユニットの屋根梁を利用して、物置などの屋根裏部屋として利用できるようにしたものが知られている。
【０００３】
【発明が解決しようとする課題】
ところで、上記従来の屋根裏部屋の構造においては、昇り降り用梯子が位置する側の手摺が立設されている開口部側において、天井面が開口部側に向かって床面と平行に設けられているため、たとえば子供が二階の部屋に降りようとした場合、上部垂壁に頭をぶつけて怪我をする恐れがあった。
【０００４】
また、天井面が開口部側において床面と平行になっているため、天井面と上部垂壁の隅部が吹き溜まりとなって、屋根裏部屋内での空気の流れが良くないという問題もあった。
【０００５】
本発明の目的は、子供に対する安全性が高まるとともに、部屋内の空気の流れ状態も良好にできる屋根裏部屋の構造を提供することである。
【０００６】
【課題を解決するための手段】
請求項１記載の本発明は、床と、屋根梁から下方に垂下された垂壁とで屋根裏部屋からの出入口となる開口部が形成されている屋根裏部屋の構造において、屋根材が屋根梁に向かうに従い上昇すると共に、前記屋根裏部屋の天井面が前記屋根梁の下方に形成された開口部側に向かって前記屋根材の傾斜方向と逆向きに下方に傾斜されているものである。
【０００７】
請求項２記載の本発明は、請求項１記載の屋根裏部屋の構造において、屋根裏部屋の水平天井面と垂壁との間に傾斜した天井パネルが張着されているものである。
【０００８】
請求項３記載の本発明は、請求項１または２記載の屋根裏部屋の構造において、屋根裏部屋が、予め工場にて組み立てられた床付き屋根ユニットの内部であるものである。
【０００９】
（作用）
請求項１記載の本発明では、天井面が開口部側に向かって下方に傾斜しているので、屋根裏部屋内で、たとえば子供が二階に降りるため、開口部側に向かおうとすると、天井面が下方に傾斜していることに気付いて、頭が天井面にぶつかるという意識がより早く働くので、安全性が高まる。また、空気の流れに対する吹き溜まりがなくなり、流れ状態が良くなる。
【００１０】
請求項２記載の本発明では、下方に傾斜されている天井面が、屋根裏部屋の水平天井面と垂壁との間に張着されている傾斜した天井パネルの天井面であるので、傾斜した天井パネル材を現地にて張着するだけで、傾斜天井面を形成できる。
【００１１】
請求項３記載の本発明では、屋根裏部屋が予め工場にて組み立てられた床付き屋根ユニットであるので、組み立て作業性ならびに生産性が向上する。
【００１２】
【発明の実施の形態】
以下、本発明の実施の形態を図面に基づいて説明する。
図１は本発明の屋根裏部屋の構造の一実施例を示す説明図、図２は図１の屋根裏部屋の構造が設置されるユニット建物の据付け状態を示す斜視図である。
【００１３】
図２において、１は二階建てのユニット建物であり、まず基礎１０の上部に一階部分を構成する８つの部屋ユニット２を相互に隣接配置し、その上部に二階部分を構成する８つの部屋ユニット３を対応配置するようにしている。屋根部分は８つの屋根ユニットからなり、二階部分を構成する部屋ユニット３の上部にそれぞれ対応配置される。
【００１４】
屋根ユニットとしては、棟側に配置されて相互に対称形状をなす屋根ユニット４Ａ，４Ｂと、軒側に配置されて相互に対称形状をなす屋根ユニット５Ａ，５Ｂとがある。各屋根ユニット４Ａ，４Ｂ，５Ａ，５Ｂは、吊りワイヤー６を用いて二階部分を構成する各部屋ユニット３の上部に据付けるようにしている。
【００１５】
各屋根ユニット４Ａ〜５Ｂにはそれぞれ屋根勾配面が備えられ、屋根ユニット４Ａ〜５Ｂを隣接した状態において、各対応した屋根勾配面を連続させ、ユニット建物１の寄せ棟形状の屋根面を形成している。なお、上記８つの部屋ユニット２，３および各屋根ユニット４Ａ，４Ｂ，５Ａ，５Ｂはいずれも予め工場にて組み立てられたものである。
【００１６】
屋根ユニット４Ａが本発明の屋根裏部屋の構造を構成するものであり、図１に示すように、上枠４１Ａ，下枠４１Ｂ，縦枠４１Ｃを組み合わせて形成される妻小壁４２、屋根梁４３、垂木４４などの構造材により構成されている。妻小壁４２は、下枠４１Ｂの上部に縦枠４１Ｃを立設させて接続し、さらにその上部に上枠４１Ａを水平状態で接続して形成される。妻小壁４２の両端部における縦枠４１Ｃの上部で、かつ水平状態とされる上枠４１Ａの一端部には屋根梁４３が接続されている。
【００１７】
上枠４１Ａの上部位置には、傾斜状態でかつ屋根梁４３にその両端部を支持される状態で垂木４４が接続されている。傾斜状態とされた垂木４４の上部には、防水シートなどにより形成される屋根材が貼着されている。
【００１８】
なお、屋根ユニット５Ａも、上記屋根ユニット４Ａと同様に、上枠，下枠，縦枠を組み合わせて形成される妻小壁、屋根梁、垂木、鼻隠し板などの構造材により構成されている。
【００１９】
屋根ユニット４Ａの上面にはそれぞれ天井パネル３１，３２が貼着され、これにより屋根裏部屋の天井部分を構成している。天井パネル３１の天井面３１ａは水平とされ、一方、天井パネル３２の天井面３２ａは奥側に向かって下方に傾斜されている。
【００２０】
屋根ユニット４Ａの下面には予め工場にて床６が張られて設けられており、この床６と、屋根梁４３から下方に垂下された垂壁７とで屋根裏部屋からの出入口となる開口部Ｓが形成されている。そして、葺降し（あるいは傾斜した）天井パネル３３が、天井パネル３１のほぼ中央から開口部Ｓ側に向かって下方に傾斜した状態で、水平天井面３１ａと垂壁７の下端との間に貼着されている。この結果、葺降し天井パネル３３の天井面３３ａが開口部Ｓ側に向かって下方に傾斜している。
【００２１】
８，８は手摺壁であり、開口部Ｓの両側に床６から立設されている。この両手摺壁８の上面には手摺ブラケット８１，８１を介して手摺８２，８２が取り付けられている。なお、９は昇降用の梯子である。
【００２２】
上記屋根裏部屋の構造においては、水平な天井パネル３１のほぼ中央から開口部Ｓ側に向かって、葺降し天井パネル３３が下方に傾斜した状態で水平天井面３１ａと垂壁７の下端との間に貼着されているので、たとえば子供が二階に降りるため、開口部Ｓ側に向かおうとしても、天井面３３ａが下方に傾斜していることに気付いて、頭が天井面３３ａにぶつかるという意識がより早く働いて、怪我をすることがなくなり、安全性が高まる。
【００２３】
【発明の効果】
請求項１記載の本発明の屋根裏部屋の構造においては、開口部側に向かって、天井面が下方に傾斜していることにより、たとえば子供であっても、二階に降りるために開口部側に近づくと、天井面が下方に傾斜していることに気がつき、天井面に頭がぶつかるという意識がより早く働いて身をかがめることになり、安全性に対する意識が高まる。
【００２４】
また、天井面が開口部側に向かって下方に傾斜していることにより、空気の流れに対する吹き溜まりがなくなり、屋根裏部屋内の空気の流れ状態がスムーズとなって、換気状態が良くなる。
【００２５】
請求項２記載の本発明では、下方に傾斜されている天井面が、屋根裏部屋の水平天井面と垂壁との間に張られている傾斜した天井パネル材の天井面であるので、傾斜した天井パネル材を現地にて張るだけで、傾斜天井面を形成でき、施工性にすぐれている。
【００２６】
請求項３記載の本発明では、屋根裏部屋が、予め工場にて組み立てられた床付き屋根ユニットであるので、組み立て作業性ならびに生産性が向上する。
【図面の簡単な説明】
【図１】本発明の屋根裏部屋の構造の一例を示す説明図である。
【図２】図１の屋根裏部屋が設置されるユニット建物の据付け状態を示す斜視図である。
【符号の説明】
１  ユニット建物
２，３  部屋ユニット
３１，３２  天井パネル
３３  葺降し天井パネル
３３ａ  傾斜天井面
４Ａ，４Ｂ，５Ａ，５Ｂ  部屋ユニット
４１Ａ  上枠
４１Ｂ  下枠
４１Ｃ  縦枠
４２  妻小壁
４３  屋根梁
４４  垂木
６  床
７  垂壁
８  手摺壁
９  昇降用の梯子
Ｓ  開口部
【図１】
0003819543.tif 000002
【図２】
0003819543.tif 000003